(57)【要約】【課題】  取扱いが容易で且つ製造コストを低減するため、射出成形で一体化成形できるヒンジキャップ付チューブ管容器の提供。【解決手段】  チューブ管容器本体の上部にチューブ管頚部２を設け更にその上の全周にチューブ管容器口頭６を設けてその外側の全周にアンダーカット７を施す。キャップ本体３にインナーリング１１を設け且つキャップ側壁９の頂部に突起リング１０を設ける。ヒンジキャップとチューブ管容器をヒンジ４と連結板５Ａ，５Ｂで結合する構造を特徴とする。【選択図】図２
2008297010.tif 000002
【特許請求の範囲】
【請求項１】
上部にリング状のチューブ管容器頚部を設けその上部に外側をアンダーカットをしたチューブ管容器口筒を配したチューブ管容器本体と、連結板及びヒンジを介して自在に開閉できるように連結されたキャップ本体と、キャップ本体に設けられたインナーリングとキャップ側壁上部の突起リングより構成され、射出成形で一体化成形ができるヒンジキャップ一体型チューブ管容器。
【請求項２】
ヒンジキャップを閉じた時にチューブ管容器頚部とチューブ管容器口筒の一部を囲うようにキャップ本体に鍔を設けた請求項１のヒンジキャップ一体型チューブ管容器。
【発明の詳細な説明】
【技術分野】
【０００１】    本発明は、水溶液等の液状物を収納する容器で、容器とその頭部に容器と連続相のヒンジキャップの付いたヒンジキャップ一体型チューブ管容器に関する。
【背景技術】
【０００２】    プラスチック樹脂を材料にして成形されたチューブ管容器で、液状物を収納するキャップ付きのチューブ状容器が多くの分野で利用されている。この場合、キャップとしてスクリューキャップをチューブ管容器に取り付ける容器と、ヒンジキャップ付きの閉鎖部材を容器の頭部に一体化して取り付けたチューブ管容器が使用されている。ヒンジキャップを一体化したチューブ管容器の成形法には色々な方法が提案され、又使用されている。
しかし、いずれの方法もチューブ管容器とヒンジキャップ付きの閉鎖部材は別々に成形され、容器への取り付けはネジ螺合又は嵌合又は熱接着による方法で行われている。又予め成形した容器に二色射出成形法やインモールド射出成形法によってヒンジキャップ付き閉鎖部材を一体化する方法も提案されている。
【発明の開示】
【発明が解決しようとする課題】
【０００３】  スクリューでキャップをチューブ容器に取り付ける方法はキャプ開閉の煩わしさやキャップ紛失等の使い勝手の悪さ等の問題がある。
ネジ螺合又は嵌合及び熱接着による方法は、別々に成形した容器とヒンジキャップをネジ螺合又は嵌合又は熱接着により結合するので複数の成形工程を必要とする。更にチューブ管容器頭部に剛性を持たせるため、樹脂量が多くなり且つ重量バランスが悪くなる等の問題がある。又二色射出成形法やインモールド成形法も複数の成形工程を必要とする。【０００４】  ヒンジキャップ一体型チューブ管容器は片手で容易に開閉できる特徴があるが、指がチューブ管容器本体頭部やチューブ管容器頚部に触れるため、指に付いている菌が該部に付着する問題がある【０００５】  本発明は斯かる点に鑑みて提供されるものであって、チューブ管容器とヒンジキャップに同じ材料が使用できるときに、チューブ管容器とその頭部に容器と一体物のヒンジキャップの付いたヒンジキャップ一体型チューブ管容器を通常の射出成形法で成形する方法を提供することにある。【０００６】  又、本発明は指がチューブ管容器本体頭部やチューブ管容器頚部に触れることなく、片手で容易に開閉できるヒンジキャップ一体型チューブ管容器を成形する方法を提供することにある。
【問題を解決する手段】
【０００７】  ３項の課題を解決するための本発明の手段は、上部にリング状のチューブ管容器頚部を設けその上部に外側をアンダーカットしたチューブ管容器口筒を配したチューブ管容器本体と、連結板及びヒンジを介して自在に開閉できるように連結されたキャップ本体と、キャップ本体に設けられたインナーリングとキャップ側壁上部の突起リングより構成される。
チューブ管容器口筒内側とインナーリング外側面でキャップの密封性を保持し、チューブ管容器口筒外面のアンダーカット部とキャップ側壁頂部の突起リングによりチューブ管容器本体にキャプ本体の系止状態を保持する機構を持つヒンジキャップ一体型チューブ管容器を射出成形する金型内で成形できることを特徴とする。
【０００８】  ４項の課題を解決するための本発明の手段はヒンジキャップに鍔を設けて、チューブ管容器本体頭部やチューブ管容器頚部及びチューブ管容器口筒に指が触れずにヒンジキャップを片手で開閉できるヒンジキャップ一体型チューブ管容器を成形できることを特徴とする。
【発明の効果】
【０００９】  本発明は、ポリオレフイン系樹脂を用いてヒンジキャップ付チューブ管容器を製造するときに射出成形用金型を用いてヒンジキャップとチューブ管容器を一体化成形することにより生産が簡単で製造コストの安いヒンジキャップ付チューブ管容器を提供できる。
【００１０】  又本発明は、鍔によってヒンジキャップを片手で開閉するときに容器頭部に指が触れることを防止し、容器上部を清潔に保つことができるヒンジキャップ付チューブ管容器を提供できる。
【発明を実施するための最良の形態】
【００１１】  本発明を図面を用いて説明する。図１は本発明によるヒンジキャップ一体型チューブ管容器の断面図であり、図２はその平面図である。チューブ管容器本体１の上部にチューブ管容器頚部２を設け更にその上の全周にチューブ管容器口頭６が設けられ、その外側の全周にアンダーカット７が施されている。キャップ本体３にはインナーリング１１が設けられ且つキャップ本体３の側壁９の内側頂部には突起リング１０が施されている。ヒンジ４と連結板５Ａと５Ｂによりキャップ本体３はチューブ管容器本体１に結合される。
又、キャップ本体３のヒンジ取付けの反対側に爪１６を設けて開閉を容易にしている。【００１２】  図３はキャップ本体３を閉じた時のシール状況の説明図である。キャップ本体３に設けられたインナーリング１１の外面とチューブ管口筒６の内面でチューブ管容器本体１とキャップ本体３の密封性が保持される。又キャップ側壁９には突起リング１０が設けられ、その突起リング１０とチューブ管容器口筒アンダーカット７の凹部でチューブ管容器本体１とキャップ本体３の系止が保持される。【００１３】  図４はヒンジ４と連結板５Ａと５Ｂ周りの説明図である。中央にヒンジ４を設け、その両側にヒンジ４と一体物の連結板５Ａと５Ｂを設けている。ヒンジ４と連結板５Ａと５Ｂには他の組合せもあるが、用途によって他の組合せを使用することもできる。【００１４】  図５及び図６は本発明の他の実施例の説明図である。図５はその断面図であり、図６はその平面図である。キャップ本体３が閉じた時、爪１６部分のチューブ管容器頚部２及びチューブ管容器本体１の頂部を囲うように、爪１６のキャップ本体３への取付け位置に鍔１７が設けられている。
鍔１７によりキャップ本体３を開閉するときに指がチューブ管容器頚部２及びチューブ管容器本体１の頂部に触れる事を防止している。【００１５】  本発明に使用される樹脂は、成形時に狭いヒンジ４及び連結板５Ａと５Ｂを通して樹脂を全体に流す必要があることとヒンジ機能を持たせることから、流動特性が優れ適度な硬度を持つポリオレフイン系樹脂が好ましい。
【図面の簡単な説明】
【００１６】
【図１】  ヒンジキャップ付きチューブ管容器の断面図
【図２】  ヒンジキャップ付きチューブ管容器の平面図
【図３】  ヒンジキャップ付きチューブ管容器の蓋を閉じた時の断面図
【図４】  ヒンジと連結板周りの説明図
【図５】  他の応用例の断面図
【図６】  同上の平面図
【符号の説明】
【００１７】  １    チューブ管容器本体
２    チューブ管容器頚部
３    キャップ本体
４    ヒンジ
５Ａ  連結板Ａ
５Ｂ  連結板Ｂ
６    チューブ管容器口筒
７    チューブ管容器口筒アンダーカット
９    キャプ側壁
１０  キャップ側壁の突起リング
１１  インナーリング
１６  爪
１７  顎
【図１】
2008297010.tif 000003
【図２】
2008297010.tif 000004
【図３】
2008297010.tif 000005
【図４】
2008297010.tif 000006
【図５】
2008297010.tif 000007
【図６】
2008297010.tif 000008